(57)【要約】【課題】多様な録音シーンに柔軟に対応できる汎用性の高いアンプユニット及びこれを備える携帯電子機器を提供する。【解決手段】アンプユニット１０は、上面及び左側面にそれぞれマイク／ライン入力端子１６，１８を備える。コネクタ１２を携帯電子機器に接続した場合に、携帯電子機器を縦向きとする場合は端子１６を用い、横向きとする場合は端子１８を用いてステレオ録音する。端子１６，１８からの音声信号は、それぞれモノラル／ステレオの切替が可能である。【選択図】図２
2014049856.tif 000002
【特許請求の範囲】
【請求項１】
異なる少なくとも２つの面にそれぞれ形成された第１及び第２音声信号入力端子と、
前記第１及び第２音声信号入力端子からのそれぞれの音声信号をモノラル音声信号とするかステレオ信号とするかを切替可能であり、モノラル音声信号とした場合に前記第１音声信号入力端子からのモノラル音声信号と、前記第２音声信号入力端子からのモノラル音声信号とをペアとしてステレオ音声信号とする切替手段と、
前記切替手段からの音声信号をデジタル音声信号に変換するアナログデジタル変換手段と、
前記デジタル音声信号を出力する出力手段と、
を備えることを特徴とするアンプユニット。
【請求項２】
請求項１記載のアンプユニットにおいて、さらに、
前記第１及び第２音声信号入力端子からのそれぞれの音声信号の入力レベルを調整するレベル調整手段
を備え、前記レベル調整手段は、互いに摩擦係合して同一軸まわりに回転する第１及び第２操作ノブを備え、第１操作ノブは前記第１音声信号入力端子からの音声信号の入力レベルを調整し、第２操作ノブは前記第２音声信号入力端子からの音声信号の入力レベルを調整し、一方の操作ノブを回転操作すると他方の操作ノブもこれに応じて連動回転し、かつ、一方の操作ノブを固定した状態では他方の操作ノブが独立して回転操作可能である
ことを特徴とするアンプユニット。
【請求項３】
請求項２記載のアンプユニットにおいて、
前記レベル調整手段は、前記第１音声信号入力端子または前記第２音声信号入力端子からの音声信号がステレオ信号に切り替えられた場合に、前記第１操作ノブは前記第１音声信号入力端子または前記第２音声信号入力端子からのＬチャンネル音声信号の入力レベルを調整し、前記第２操作ノブは前記第１音声信号入力端子または前記第２音声信号入力端子からのＲチャンネル音声信号の入力レベルを調整する
ことを特徴とするアンプユニット。
【請求項４】
請求項１〜３のいずれかに記載のアンプユニットにおいて、さらに、
携帯電子機器に接続するためのコネクタ
を備えることを特徴とするアンプユニット。
【請求項５】
請求項１〜３のいずれかに記載のアンプユニットを備える携帯電子機器。
【発明の詳細な説明】
【技術分野】
【０００１】
本発明は、アンプユニット及びこれを備える携帯電子機器に関する。
【背景技術】
【０００２】
近年、携帯電話やタブレット端末、ＰＤＡ等の多機能の携帯電子機器が広く普及している。こうした携帯電子機器を、録音や録画の用途で用いる場合がある。しかし、携帯電子機器の多くは、録音（録画）専用の機器ではないため、録音に適したマイクを搭載していないことが多い。そこで、こうした携帯電子機器に適宜取り付けられるステレオマイク装置が提案されている。
【０００３】
他方、特に携帯電子機器に取り付けられるステレオマイク装置ではないものの、各種のマイク装置あるいはステレオ入出力装置も知られている。
【０００４】
特許文献１には、Ｌチャンネル用入力端子とＲチャンネル用入力端子を同一面に並べて配置し、両方が接続状態にあるときにはステレオ平衡信号として入出力を行い、一方のみが接続状態にあるときにはステレオ不平衡信号として入出力を行うステレオ入出力装置が開示されている。
【０００５】
特許文献２には、マイクロホンの向きを用途に応じて変更可能な収音装置について開示されており、収音装置本体に対するマイクロホンの位置に応じてステレオ録音とモノラル録音を切り替えることが開示されている。
【先行技術文献】
【特許文献】
【０００６】
【特許文献１】特開平０７−２８８１６２号公報
【特許文献２】特開２００６−０３３６１５号公報
【発明の概要】
【発明が解決しようとする課題】
【０００７】
携帯電子機器に取り付けられるステレオマイク装置の高音質化を図るべく、アナログデジタルコンバータや入力レベルを調整できる入力ボリューム等を備え、外部ステレオ装置を適宜接続し得るアンプユニットが考えられるが、かかるアンプユニットが携帯電子機器に取り付けられることを考慮して、多様な録音シーンに対応し得る柔軟性が望まれる。
【０００８】
本発明の目的は、多様な録音シーンに柔軟に対応できる汎用性の高いアンプユニット及びこれを備える携帯電子機器を提供することにある。
【課題を解決するための手段】
【０００９】
本発明のアンプユニットは、異なる少なくとも２つの面にそれぞれ形成された第１及び第２音声信号入力端子と、前記第１及び第２音声信号入力端子からのそれぞれの音声信号をモノラル音声信号とするかステレオ信号とするかを切替可能であり、モノラル音声信号とした場合に前記第１音声信号入力端子からのモノラル音声信号と、前記第２音声信号入力端子からのモノラル音声信号とをペアとしてステレオ音声信号とする切替手段と、前記切替手段からの音声信号をデジタル音声信号に変換するアナログデジタル変換手段と、前記デジタル音声信号を出力する出力手段とを備えることを特徴とする。
【００１０】
本発明の１つの実施形態では、さらに、前記第１及び第２音声信号入力端子からのそれぞれの音声信号の入力レベルを調整するレベル調整手段を備え、前記レベル調整手段は、互いに摩擦係合して同一軸まわりに回転する第１及び第２操作ノブを備え、第１操作ノブは前記第１音声信号入力端子からの音声信号の入力レベルを調整し、第２操作ノブは前記第２音声信号入力端子からの音声信号の入力レベルを調整し、一方の操作ノブを回転操作すると他方の操作ノブもこれに応じて連動回転し、かつ、一方の操作ノブを固定した状態では他方の操作ノブが独立して回転操作可能であることを特徴とする。
【００１１】
本発明の他の実施形態では、さらに、携帯電子機器に接続するためのコネクタを備えることを特徴とする。
【００１２】
本発明のアンプユニットは、携帯電話や携帯情報端末、あるいはデジタルカメラ等の携帯電子機器に組みこむことができ、本発明はかかる携帯電子機器を含むものである。
【発明の効果】
【００１３】
本発明によれば、多様な録音シーンに柔軟に対応できる汎用性の高いアンプユニット及びこれを備える携帯電子機器を得ることができる。
【図面の簡単な説明】
【００１４】
【図１】実施形態におけるアンプユニットの外観斜視図である。
【図２】実施形態におけるアンプユニットの上面図（Ａ）、左側面図（Ｂ）及び平面図（Ｃ）である。
【図３】携帯電子機器を縦向きにした場合の外部マイク装置の接続説明図である。
【図４】携帯電子機器を横向きにした場合の外部マイク装置の接続説明図である。
【図５】２つのマイク装置を用いてステレオ録音する場合の接続説明図である。
【図６】実施形態におけるアンプユニットの回路構成図である。
【図７】入力ボリュームの連動／独立説明図である。
【図８】入力ボリュームの分解斜視図である。
【図９】入力ボリュームの分解斜視図である。
【図１０】切替スイッチの構成図である。
【発明を実施するための形態】
【００１５】
以下、図面に基づき本発明の実施形態について説明する。
【００１６】
図１に、本実施形態におけるアンプユニット１０の外観斜視図を示す。アンプユニット１０は、全体形状が略直方体形状をなし、六面を有する。アンプユニット１０の底面には、コネクタ１２が形成され、携帯電話やタブレット端末、携帯情報端末、デジタルカメラ等の携帯電子機器１００に接続可能な構成となっている。
【００１７】
アンプユニット１０は、外部マイクロホンや各種楽器を接続するための音声信号入力端子が複数個設けられている。複数の音声信号入力端子は、アンプユニット１０の６面のうちの異なる少なくとも２面に形成されており、本実施形態では、上面及び左側面にそれぞれ設けられている。これらの音声信号入力端子には、外部マイクロホンのジャックが挿入され、あるいはギターやドラム等の各種楽器からの音声信号を入力するためのラインジャックが挿入される。以下、これらの音声信号入力端子を、マイクロホンあるいはラインのいずれかを入力するための端子を意味するものとして、マイク／ライン入力端子と称する。
【００１８】
また、アンプユニット１０の所定位置、すなわち正面の右隅には、マイク／ライン入力端子から入力される音声信号のレベルを調整するための入力ボリューム１４が設けられる。入力ボリューム１４は、２つのダイヤル式ノブから構成され、２つのダイヤル式ノブは、基本的には２つのマイク／ライン入力端子のそれぞれに対応しており、ユーザは、この入力ボリューム１４を操作することで、マイク／ライン入力端子から入力される音声信号のレベルを適宜調整することができる。
【００１９】
また、アンプユニット１０の背面には、マイク／ライン入力端子を切り替えるためのスイッチが設けられる。このスイッチは、２つのマイク／ライン入力端子を選択的に切り替えるための入力端子スイッチと、モノラル／ステレオを切り替えるためのモード切替スイッチから構成される。
【００２０】
アンプユニット１０は、後述するように、ＡＤＣ（アナログデジタル変換回路）や音声信号処理回路を備えており、マイクロホンあるいはラインから入力された音声信号をデジタル信号に変換して、コネクタを介して接続された携帯電子機器１００にデジタル音声信号を出力する。
【００２１】
携帯電子機器の一例は多機能携帯電話のスマートフォンであり、アンプユニット１０をスマートフォンに接続し、アンプユニット１０からコネクタを介してスマートフォンにデジタル音声信号を供給する。スマートフォンでは、アンプユニット１０からのデジタル音声信号を内蔵メモリに記録する等して録音することができる。スマートフォンが動画撮影機能を有している場合、スマートフォン側で動画を撮影するとともに、アンプユニット１０からデジタル音声信号を取り込み、動画とともに音声を録音することもできる。
【００２２】
図２に、アンプユニット１０の外観構成を示す。図において、（Ａ）は上面図、（Ｂ）は左側面図、（Ｃ）は平面図である。（Ａ）に示すように、アンプユニット１０の上面には、マイク／ライン入力端子１６が設けられる。図では、マイク／ライン入力端子１６は、上面の略中心から左側にずれて設けられているが、これはアンプユニット１０の内部構造の関係上その形成位置が調整されたものであり、マイク／ライン入力端子１６は正面の中心位置に設けられていてもよい。また、（Ｂ）に示すように、アンプユニット１０の左側面には、もう一つのマイク／ライン入力端子１８が設けられる。マイク／ライン入力端子１８の位置も、マイク／ライン入力端子１６と同様に任意でよい。マイク／ライン入力端子１６がアンプユニット１０の上面に設けられ、マイク／ライン入力端子１８がアンプユニット１０の左側面に設けられる結果、（Ｃ）に示すように、アンプユニット１０を平面視した場合、アンプユニット１０の上方にマイク／ライン入力端子１６が存在すると共に、アンプユニット１０の左方にもマイク／ライン入力端子１８が存在することになる。ユーザは、マイク／ライン入力端子１６あるいはマイク／ライン入力端子１８のいずれかに外部マイクロホンのジャックあるいはラインジャックを挿入することができる。また、ユーザは、マイク／ライン入力端子１６及びマイク／ライン入力端子１８のいずれにも外部マイクロホンのジャックあるいはラインのジャックを挿入することができる。
【００２３】
図３に、アンプユニット１０を携帯電子機器１００に接続した操作状態の一例を示す。携帯電子機器１００を縦向きに把持して動画を撮影する場合である。この場合、ユーザは、携帯電子機器１００が縦向きであることを考慮して、外部ステレオマイクロホン５０のジャックをアンプユニット１０のマイク／ライン入力端子１６に挿入する。外部マイクロホン５０は、Ｒチャンネル用のマイクユニットとＬチャンネル用のマイクユニットを備え、両マイクユニットで左右の音を収音することでステレオ信号を入力する。外部ステレオマイクロホン５０のジャックをアンプユニット１０のマイク／ライン入力端子１６に挿入すると、ユーザが携帯電子機器１００を縦向きに把持した場合に丁度、外部マイクロホン５０のＲチャンネル用マイクユニットとＬチャンネル用マイクユニットが収音対象物に対して左右に位置することとなり、ステレオの正位置において収音することができる。
【００２４】
一方、図４に、アンプユニット１０を携帯電子機器１００に接続した操作状態の他の例を示す。携帯電子機器１００を横向きに把持して動画を撮影する場合である。携帯電子機器１００を縦向きに把持して操作する場合、ユーザは上記のように外部ステレオマイクロホン５０をマイク／ライン入力端子１６に装着することでステレオの正位置で収音することができるが、外部ステレオマイクロホン５０をマイク／ライン入力端子１６に装着した状態で携帯電子機器１００を横向きにすると、外部マイクロホン５０のＲチャンネル用マイクユニットとＬチャンネル用マイクユニットが上下方向に配置することとなるため、このままではステレオの正位置において収音することができない。
【００２５】
そこで、図に示すように、外部ステレオマイクロホン５０をマイク／ライン入力端子１８に装着する。携帯電子機器１００を横向きに把持すると、携帯電話機器１００に接続されたアンプユニット１０の左側面が上側となり、アンプユニット１０の左側面に設けられたマイク／ライン入力端子１８に装着することで、外部ステレオマイクロホン５０のＲチャンネル用のマイクユニットとＬチャンネル用のマイクユニットが左右に配置されることとなり、ステレオの定位置において収音することができる。
【００２６】
以上のように、アンプユニット１０の上面にマイク／ライン入力端子１６を設けるとともに、アンプユニット１０の左側面にマイク／ライン入力端子１８を設けることで、アンプユニット１０が接続された携帯電子機器１００を縦向きに把持する場合にはアンプユニット１０の上面に設けられたマイク／ライン入力端子１６が上方に向くため、ここに外部ステレオマイクロホン５０を装着することでステレオ収音が可能となり、他方、アンプユニット１０が接続された携帯電機器１００を横向きに把持する場合にはアンプユニット１０の左側面に設けられたマイク／ライン入力端子１８が上方に向くため、ここに外部ステレオマイクロホン５０を装着することでステレオ収音が可能となる。すなわち、ユーザは、携帯電子機器１００を横向きあるいは縦向きのいずれの方向に把持する場合でも、アンプユニット１０を用いてステレオ収音及びステレオ録音が可能である。
【００２７】
さらに、本実施形態において、マイク／ライン入力端子１６あるいはマイク／ライン入力端子１８のいずれかに外部マイクロホンを装着するのではなく、マイク／ライン入力端子１６及びマイク／ライン入力端子１８にそれぞれ外部マイクロホンを装着することも可能である。
【００２８】
図５に、この場合の操作状態の一例を示す。マイク／ライン入力端子１６に外部ステレオマイクロホン５２を装着し、かつ、マイク／ライン入力端子１８に外部ステレオマイクロホン５２を装着する。この場合、アンプユニット１０は、マイク／ライン入力端子１６からの音声信号をステレオ信号ではなくモノラル信号として処理し、かつ、マイク／ライン入力端子１８からの音声信号をステレオ信号ではなくモノラル信号として処理する。そして、マイク／ライン入力端子１６からのモノラル信号と、マイク／ライン入力端子１８からのモノラル信号をペアとするステレオ信号として処理する。例えば、図において、マイク／ライン入力端子１６からのモノラル信号をＲチャンネル信号とし、マイク／ライン入力端子１８からのモノラル信号をＬチャンネル信号とし、両信号をペアとしてステレオ信号として処理する。
【００２９】
このように、マイク／ライン入力端子１６からの音声信号と、マイク／ライン入力端子１８からの音声信号でステレオ信号を構成することで、多様かつ柔軟なステレオ収音が可能となる。すなわち、例えばマイク／ライン入力端子１８に装着された外部ステレオマイクロホン５０ではステレオ収音できない位置に音源が存在する場合でも、図５に示すようにマイク／ライン入力端子１６に装着された外部ステレオマイクロホン５２とマイク／ライン入力端子１８に装着された外部ステレオマイクロホン５２で収音することで、ステレオ収音を可能とし得る。もちろん、マイク／ライン入力端子１６に装着された外部ステレオンマイクロホン５２とマイク／ライン入力端子１８に装着された外部ステレオマイクロ本５２の指向性を独立に変更ないし調整することで、両マイクロホン間の距離を確保できることと相俟って、多様な位置の音源に対して収音が可能である。
【００３０】
マイク／ライン入力端子１６及びマイク／ライン入力端子１８は、いずれか一方に外部ステレオマイクロホン５０が装着された場合にはステレオ信号を入力するための端子として機能するが、両方に外部ステレオマイクロホン５２が装着された場合にはそれぞれモノラル信号を入力するための端子として機能し、両方でステレオ信号を入力するための一対の端子として機能することになるが、このようなモノラル／ステレオの切替は、アンプユニット１０内のプロセッサが自動的に検知して行ってもよく、あるいはアンプユニット１０に設けられた切替スイッチでユーザが手動で切り替えてもよい。本実施形態では、ユーザがアンプユニット１０の背面に設けられた入力端子切替スイッチ及びモード切替スイッチを操作してマイク／ライン入力端子１６及びマイク／ライン入力端子１８の機能を切り替える構成について説明する。
【００３１】
図６に、アンプユニット１０の回路構成図を示す。アンプユニット１０は、マイク／ライン入力端子１６，１８、入力ボリューム１４、入力端子切替スイッチ２０、モード切替スイッチ２２、スイッチＳＷ１〜ＳＷ４、入力ボリュームスイッチＶｏｌ１〜４、信号バス１０ａ、アナログデジタル変換回路（ＡＤＣ）１０ｂ、デジタルシグナルプロセッサ（ＤＳＰ）１０ｃ、及びインタフェース（Ｉ／Ｆ）１０ｄを含んで構成される。
【００３２】
マイク／ライン入力端子１６はＳＷ１の一方の接点に接続される。また、マイク／ライン入力端子１８はＳＷ２の一方の接点に接続される。
【００３３】
ＳＷ１及びＳＷ２は、アンプユニット１０の背面に設けられた入力端子切替スイッチ２０に連動しており、ユーザが入力端子切替スイッチ２０を操作してマイク／ライン入力端子１６側に切り替えた場合には、ＳＷ１はマイク／ライン入力端子１６側の接点に切り替わり、他方、ＳＷ２はオフ側の接点に切り替わる。また、ユーザが入力端子切替スイッチ２０を操作してマイク／ライン入力端子側１８側に切り替えた場合には、ＳＷ１はオフ側の接点に切り替わり、他方、ＳＷ２はマイク／ライン入力端子１８側の接点に切り替わる。図では、ユーザが入力端子切替スイッチ２０を操作してマイク／ライン入力端子１６を選択した場合を示しており、ＳＷ１がオン、ＳＷ２がオフとなっている。
【００３４】
ＳＷ１からの音声信号は、Ｒチャンネル音声信号及びＬチャンネル音声信号に分離され、Ｒチャンネル音声信号はＶｏｌ１を介して信号バス１０ａに供給され、Ｌチャンネル音声信号はＳＷ３及びＶｏｌ２を介して信号バス１０ａに供給される。
【００３５】
また、ＳＷ２からの音声信号は、Ｒチャンネル音声信号及びＬチャンネル音声信号に分離され、Ｒチャンネル音声信号はＳＷ４及びＶｏｌ４を介して信号バス１０ａに供給され、Ｌチャンネル音声信号はＶｏｌ３を介して信号バス１０ａに供給される。
【００３６】
ＳＷ３及びＳＷ４は、アンプユニット１０の背面に設けられたモード切替スイッチ２２に連動しており、ユーザがモード切替スイッチ２２をステレオ側に切り替えると、ＳＷ３及びＳＷ４はともにオンし、モード切替スイッチ２２をモノラル側に切り替えると、ＳＷ３及びＳＷ４はともにオフする。ＳＷ３がオンすると、マイク／ライン入力端子１６からのＲチャンネル音声信号及びＬチャンネル音声信号はともにＶｏｌ１，２を介して信号バス１０ａに供給される。また、ＳＷ４がオンすると、マイク／ライン入力端子１８からのＲチャンネル音声信号及びＬチャンネル音声信号はともにＶｏｌ３，４を介して信号バス１０ａに供給される。ＳＷ３及びＳＷ４がともにオフとなると、マイク／ライン入力端子１６からのＲチャンネル音声信号のみがＶＯｌ１を介して信号バス１０ａに供給され、マイク／ライン入力端子１８からのＬチャンネル音声信号のみがＶｏｌ３を介して信号バス１０ａに供給される。これら２つのモノラル信号はペアとしてステレオ音声信号として処理される。
【００３７】
なお、入力端子切替スイッチ２０及びモード切替スイッチ２２は互いに別個独立のスイッチとして構成することができるが、互いに連動するスイッチとして構成することもできる。具体的には、入力端子切替スイッチ２０をマイク／ライン入力端子１６，１８のいずれかに設定した場合にはモード切替スイッチ２２は無効化（マイク／ライン入力端子１６，１８のいずれかがステレオ入力設定）され、モード切替スイッチ２２をステレオに設定した場合には入力端子切替スイッチ２０は無効化されて両方の端子１６，１８がともに設定される状態（マイク／ライン入力端子１６，１８がともにモノラル入力設定される）とすることができる。この場合、ＳＷ１あるいはＳＷ２のいずれかがオンされている場合にはＳＷ３及びＳＷ４はともにオン状態にあり、ＳＷ１及びＳＷ２がいずれもオンされている場合にはＳＷ３及びＳＷ４はいずれもオフ状態となる。
【００３８】
図１０に、入力端子切替スイッチ２０及びモード切替スイッチ２２の具体例を示す。入力切替スイッチ２０及びモード切替スイッチ２２は、３段階切替型の単一のスイッチで構成される。横長の開口６０内にスライドつまみ６２が配置され、ユーザはスライドつまみ６２を左右方向に移動することができる。スライドつまみ６２を開口６０の右端側までスライドさせるとマイク／ライン入力端子１６側（図ではＡとして示す）に切替設定され、スライドつまみ６２を開口６０の左端側までスライドさせるとマイク／ライン入力端子１８側（図ではＢとして示す）に切替設定される。一方、スライドつまみ６２を開口６０の中央位置にスライドさせると、ステレオモードに切替設定され、マイク／ライン入力端子１６とマイク／ライン入力端子１８がともにモノラル入力に設定される。この場合、マイク／ライン入力端子１６からの音声信号はＲチャンネル信号として処理され、マイク／ライン入力端子１８からの音声信号はＬチャンネル音声信号として処理される（図において、Ａ側にＲ、Ｂ側にＬとして示す）。
【００３９】
再び図６に戻り、Ｖｏｌ１〜Ｖｏｌ４は、アンプユニット１０に設けられた入力ボリューム１４に連動しており、入力された音声信号のレベルを調整する。入力ボリューム１４は、２つのボリュームノブから構成されており、第１のボリュームノブはＶｏｌ１，２を駆動し、第２のボリュームノブはＶｏｌ３，４を駆動する。但し、２つのボリュームノブは、通常状態では互いに連動して回転動作し、このためＶｏｌ１〜Ｖｏｌ４は互いに連動して音声信号のレベルを調整する。一方、２つのボリュームノブは互いに連動せずに独立して回転動作することも可能であり、この場合にはＶｏ１，２とＶｏｌ３，４はそれぞれ独立に音声信号のレベルを調整する。入力ボリューム１４の構成についてはさらに後述する。
【００４０】
ＡＤＣ１０ｂは、信号バス１０ａからのステレオ音声信号をデジタル信号に変換してＤＳＰ１０ｃに出力する。
【００４１】
ＤＳＰ１０ｃは、デジタルステレオ音声信号に対し、イコライザ処理（エフェクト処理等を行ってもよい）を施して音質を調整し、Ｉ／Ｆ１０ｄを介して出力する。
【００４２】
Ｉ／Ｆ１０ｄは、コネクタ１２の一部を構成し、ＤＳＰ１０ｃで処理されたデジタルステレオ音声信号を携帯電子機器１００に出力する。
【００４３】
以上のような回路構成において、次に動作について説明する。
【００４４】
＜ユーザが、マイク／ライン入力端子１６に外部ステレオマイクロホンを装着した場合＞
この場合、ユーザは、入力端子切替スイッチ２０をマイク／ライン入力端子１６側に切り替える。すると、ＳＷ１はオン、ＳＷ２はオフとなり、マイク／ライン入力端子１６からのステレオ音声信号、すなわちＲチャンネル音声信号とＬチャンネル音声信号が入力される。このとき、ＳＷ３は基本的にオン状態とされる。ユーザが入力ボリューム１４を操作すると、Ｖｏｌ１，２でＲチャンネル音声信号及びＬチャンネル音声信号のレベルが調整され、信号バス１０ａに供給される。ＡＤＣ１０ｂは、ステレオ音声信号をデジタル変換してデジタルステレオ音声信号を生成し、ＤＳＰ１０ｃに供給する。ＤＳＰ１０ｃは、デジタルステレオ音声信号をイコサイザ処理し、Ｉ／Ｆ１０ｄを介して携帯電子機器１００に出力する。ユーザは、携帯電子機器１００を操作することで、アンプユニット１０から出力された高音質のデジタルステレオ音声信号を録音することができる。
【００４５】
＜ユーザが、マイク／ライン入力端子１８に外部ステレオマイクロホンを装着した場合＞
この場合、ユーザは、入力端子切替スイッチ２０をマイク／ライン入力端子１８側に切り替える。すると、ＳＷ１はオフ、ＳＷ２はオンとなり、マイク／ライン入力端子１８からのステレオ音声信号、すなわちＲチャンネル音声信号とＬチャンネル音声信号が入力される。このとき、ＳＷ４は基本的にオン状態とされる。ユーザが入力ボリューム１４を操作すると、Ｖｏｌ３，４でＲチャンネル音声信号及びＬチャンネル音声信号のレベルが調整され、信号バス１０ａに供給される。ＡＤＣ１０ｂは、ステレオ音声信号をデジタル変換してデジタルステレオ音声信号を生成し、ＤＳＰ１０ｃに供給する。ＤＳＰ１０ｃは、デジタルステレオ音声信号をイコサイザ処理し、Ｉ／Ｆ１０ｄを介して携帯電子機器１００に出力する。ユーザは、携帯電子機器１００を操作することで、アンプユニット１０から出力された高音質のデジタルステレオ音声信号を録音することができる。
【００４６】
＜ユーザが、マイク／ライン入力端子１６に外部ステレオマイクロホンを装着し、かつ、マイク／ライン入力端子１８に外部ステレオマイクロホンを装着した場合＞
この場合、ユーザは、入力端子切替スイッチ２２をステレオ側に切り替える。すると、ＳＷ１及びＳＷ２はともにオン状態となるとともに、ＳＷ３及びＳＷ４はともにオフ状態となる。マイク／ライン入力端子１６からのＲチャンネル音声信号及びＬチャンネル音声信号のうち、Ｒチャンネル音声信号のみがＶｏｌ１でレベル調整されて信号バス１０ａに供給される。また、マイク／ライン入力端子１８からのＲチャンネル音声信号及びＬチャンネル音声信号のうち、Ｌチャンネル音声信号のみがＶＯｌ３でレベル調整されて信号バス１０ａに供給される。なお、マイク／ライン入力端子にそれぞれモノラルマイクロホンが装着された場合には、マイク／ライン入力端子１６からはＲチャンネル音声信号、マイク／ライン入力端子１８からはＬチャンネル音声信号として、それぞれ音声信号が入力される。ＡＤＣ１０ｂは、マイク／ライン入力端子１６からのＲチャンネル音声信号、及びマイク／ライン入力端子１８からのＬチャンネル音声信号をデジタル変換してデジタルステレオ音声信号を生成し、ＤＳＰ１０ｃに供給する。ＤＳＰ１０は、デジタルステレオ音声信号をイコサイザ処理し、Ｉ／Ｆ１０ｄを介して携帯電子機器１００に出力する。ユーザは、携帯電子機器１００を操作することで、アンプユニット１０から出力された高音質のデジタルステレオ音声信号を録音することができる。
【００４７】
次に、アンプユニット１０の入力ボリューム１４について説明する。
【００４８】
図７に、入力ボリューム１４の動作を示す。入力ボリューム１４は、２つのボリュームノブ１４Ａ、１４Ｂから構成され、ボリュームノブ１４Ａはマイク／ライン入力端子１６側のＶｏｌ１，２に対応し、ボリュームノブ１４Ｂはマイク／ライン入力端子１８側のＶｏｌ３，４に対応する。ボリュームノブ１４Ａ及びボリュームノブ１４Ｂは、互いに一定の摩擦力で摩擦係合されており、一方のボリュームノブを回転すると、他方のボリュームノブもこれに連動して回転するように構成される。従って（Ａ）に示すように、ボリュームノブ１４Ａを回転操作すると、ボリュームノブ１４Ｂもこれに連動して同一方向に回転し、ボリュームノブ１４Ｂを回転操作すると、ボリュームノブ１４Ａもこれに連動して同一方向に回転する。
【００４９】
ユーザがマイク／ライン入力端子１６に外部ステレオマイクロホンを装着する場合、基本的にはマイク／ライン入力端子１６側のＶｏｌ１，２に対応するボリュームノブ１４Ａを回転操作して入力レベルを調整することになるが、上記のようにボリュームノブ１４Ａ、１４Ｂは互いに摩擦係合して連動して回転するため、ユーザは、ボリュームノブ１４Ａあるいは１４Ｂのいずれかを回転操作することで入力レベルを調整することができる。マイク／ライン入力端子１８に外部ステレオマイクロホンを装着する場合も同様であり、ユーザは、ボリュームノブ１４Ａあるいは１４Ｂのいずれかを回転操作することで入力レベルを調整することができる。
【００５０】
他方、ボリュームノブ１４Ａ及び１４Ｂは、一定の摩擦力で摩擦係合しているため、一方のボリュームノブを把持固定した状態で他方のボリュームノブのみを回転操作することが可能であり、この場合には２つのボリュームノブ１４Ａ及び１４Ｂは連動することなく、互いに独立して回転することになる。（Ｂ）はこの状態を示す。ボリュームノブ１４Ａを指で押さえて固定した状態でボリュームノブ１４Ｂを回転すると、ボリュームノブ１４Ａは固定された状態でボリュームノブ１４Ｂのみが回転する。すると、Ｖｏｌ１，２とは独立して、Ｖｏｌ３，４のみで入力レベルを調整することができる。もちろん、ボリュームノブ１４Ｂを指で押さえて固定した状態でボリュームノブ１４Ａを回転すると、ボリュームノブ１４Ｂは固定された状態でボリュームノブ１４Ａのみが回転し、Ｖｏｌ３，４とは独立して、Ｖｏｌ１，２のみで入力レベルが調整される。
【００５１】
このことは、マイク／ライン入力端子１６からの音声信号のレベルと、マイク／ライン入力端子１８からの音声信号のレベルを互いに独立に調整できるとともに、両音声信号のレベルを同量ずつ連動させて調整できることを意味する。この機能は、マイク／ライン入力端子１６からのＲチャンネル音声信号と、マイク／ライン入力端子１８からのＬチャンネル音声信号とをペアにしてステレオ信号とする場合に特に有効である。すなわち、ユーザは、マイク／ライン入力端子１６及び１８に外部ステレオマイクロホンを装着してステレオ録音する際に、ボリュームノブ１４Ａを固定し、ボリュームノブ１４Ｂのみを回転操作することで、マイク／ライン入力端子１８からのＬチャンネル音声信号のレベルのみをＲチャンネル音声信号に対して増減調整し、両者のバランスを調整できる。その後、ボリュームノブ１４Ａ及び１４Ｂを連動させて回転操作することで、両者のバランスを維持したまま、全体のレベルを容易に増減調整できる。
【００５２】
図８及び図９に、それぞれ異なる方向から見た入力ボリューム１４の分解斜視図を示す。図８及び図９に示すように、入力ボリューム１４は、ボリュームノブ１４Ａ、１４Ｂ及びカラー１５から構成される。ボリュームノブ１４Ａ、カラー１５、ボリュームノブ１４Ｂはこの順に２軸ボリュームスイッチの軸に取り付けられる。すなわち、２軸ボリュームスイッチの第１の軸はＶｏｌ１，２に対応し、この第１の軸にボリュームノブ１４Ａの軸孔を嵌合させ取り付ける。また、２軸ボリュームスイッチの第２の軸はＶｏｌ３，４に対応し、この第２の軸にボリュームノブ１４Ｂの軸孔を嵌合させ取り付ける。ボリュームノブ１４Ａの内周面には、互いに１８０度対向する位置にキー溝１４Ａ−１，１４Ａ−２が形成される。一方、カラー１５の外周面のうち、ボリュームノブ１４Ａ側の外周面には、キー溝１４Ａ−１，１４Ａ−２に対向する位置に突起状のキー１５−１、１５−２が形成される。カラー１５のキー１５−１がキー溝１４Ａ−１に嵌合し、キー１５−２がキー溝１４−２に嵌合することで、ボリュームノブ１４Ａとカラー１５は係合し、ボリュームノブ１４Ａとカラー１５は互いに連動して回転する。
【００５３】
他方、カラー１５の外周面のうち、ボリュームノブ１４Ｂ側の外周面には、ボリュームスイッチの軸方向に向けて複数のリブ１５−３が等間隔で形成される。これらのリブ１５−３は、ボリュームノブ１４Ｂの内周面１４Ｂ−１に当接し、ボリュームノブ１４Ｂの内周面１４Ｂ−１と摩擦係合する。
【００５４】
ボリュームノブ１４Ａとカラー１５はキー溝１４Ａ−１，１４Ａ−２とキー１５−１，１５−２とで嵌合係合し、カラー１５とボリュームノブ１４Ｂはリブ１５−３と内周面１４Ｂ−１とで摩擦係合するため、結局、ボリュームノブ１４Ａとボリュームノブ１４Ｂとは互いにカラー１５を介して摩擦係合する。
【００５５】
ユーザがボリュームノブ１４Ａを回転操作すると、ボリュームノブ１４Ａの回転に連動してカラー１５が回転し、カラー１５の回転に連動してボリューム１４Ｂも回転する。同様に、ユーザがボリュームノブ１４Ｂを回転操作すると、ボリュームノブ１４Ｂの回転に連動してカラー１５が回転し、カラー１５の回転に連動してボリューム１４Ａも回転する。従って、ボリュームスイッチの第１の軸と第２の軸がともに連動して回転し、Ｖｏｌ１，２とＶｏｌ３，４は連動して入力レベルを調整する。
【００５６】
ユーザがボリュームノブ１４Ｂを指で押さえて固定しつつボリュームノブ１４Ａを回転操作すると、ボリュームノブ１４Ａの回転に連動してカラー１５が回転するが、カラー１５とボリュームノブ１４Ｂは摩擦係合しているため、カラー１５が回転してもリブ１５−３はボリュームノブ１４Ｂの内周面１４Ｂ−１に当接しつつ擦動するだけでボリュームノブ１４Ｂは回転しない。従って、ボリュームスイッチの第１の軸のみが回転し、Ｖｏｌ１，２のみが入力レベルを調整する。
【００５７】
ユーザがボリュームノブ１４Ａを指で押さえて固定しつつボリュームノブ１４Ｂを回転操作すると、ボリュームノブ１４Ｂのみが回転してカラー１５は回転せず、ボリュームノブ１４Ａも回転しない。従って、ボリュームスイッチの第２の軸のみが回転し、Ｖｏｌ３，４のみが入力レベルを調整する。
【００５８】
本実施形態の入力ボリューム１４は、カラー１５を介して２つのボリュームノブ１４Ａ，１４Ｂを係合する構成であり、アンプユニット１０の小型化の要請からボリュームノブが小型化し、ボリュームノブ１４Ａ，１４Ｂの内周面加工が困難となっても、材料の制約を受けることなく摩擦係合状態を実現できる。
【００５９】
以上のように、本実施形態では、マイク／ライン入力端子１６，１８をアンプユニット１０の異なる面にそれぞれ設け、かつ、それぞれの端子からの音声信号をモノラルとして処理するか、あるいはステレオ信号として処理するかを切り替える構成としているので、アンプユニット１０が接続される携帯電子機器１００の向きによらずに、確実に高音質なステレオ音声信号を出力することができる。また、入力ボリューム１４として、基本的には連動しているものの、それぞれ独立して調整することもできる２つのボリュームノブ１４Ａ，１４Ｂを備えているので、マイク／ライン入力端子１６，１８のモノラル／ステレオの切替に応じて適応的に入力レベルを調整することができる。すなわち、マイク／ライン入力端子１６，１８のいずれかを用いる場合には、連動ボリュームノブとして機能させて入力レベルの調整を容易化し、マイク／ライン入力端子１６，１８をともに用いる場合には独立ボリュームノブとしてＲチャンネル、Ｌチャンネルのバランス調整を可能とすることができる。
【００６０】
なお、本実施形態では、ボリュームノブ１４ＡをＶｏｌ１，２に対応させ、ボリュームノブ１４ＢをＶｏｌ３，４に対応させることによって、マイク／ライン入力端子１６，１８をともに用いる場合のみ、ＬチャンネルとＲチャンネルのバランスを調整できるようにしたが、ボリュームノブ１４ＡをＶｏｌ１，４に対応させ、ボリュームノブ１４ＢをＶｏｌ２，３に対応させることにより、マイク／ライン入力端子１６、１８をともに用いる場合だけでなく、どちらか一方を用いる場合であっても、Ｌチャンネル音声信号とＲチャンネル音声信号のバランスを独立して調整できるように構成してもよい。
【００６１】
また、本実施形態では、アンプユニット１０は、携帯電子機器１００にコネクタ１２を介して接続されるものとして説明したが、携帯電子機器１００に内蔵されるアンプユニットあるいはモジュールとして組み込まれていてもよい。例えば、携帯電話の内蔵モジュールとして組み込まれる、あるいはデジタルカメラの内蔵モジュールとして組み込まれる等である。携帯電話の内蔵モジュールとして組み込まれる場合、携帯電話の少なくとも異なる２つの面にマイク／ライン入力端子１６，１８を設ければよい。デジタルカメラの場合も同様である。これらのマイク／ライン入力端子１６，１８は、携帯電子機器の異なる２つの操作の向きに対応し、第１の操作向き（例えば縦向き）及び第２の操作向き（例えば横方向）の際にそれぞれ上面となる面に設けることが好適である。
【符号の説明】
【００６２】
１０  アンプユニット、１２  コネクタ、１４  入力ボリューム、１６，１８  マイク／ライン入力端子、１００  携帯電子機器。
【図１】
2014049856.tif 000003
【図２】
2014049856.tif 000004
【図３】
2014049856.tif 000005
【図４】
2014049856.tif 000006
【図５】
2014049856.tif 000007
【図６】
2014049856.tif 000008
【図７】
2014049856.tif 000009
【図８】
2014049856.tif 000010
【図９】
2014049856.tif 000011
【図１０】
2014049856.tif 000012